(57)【要約】【課題】接続した軒樋止まりと軒樋とに一体感を持たせると共に接着剤による悪影響のない外観を現出できるようにした軒樋止まりの接続構造を提供する。【解決手段】軒樋１の長手方向の端部に板面を当てて塞ぐ縦板状の蓋部３と、この蓋部３の板面の外縁部から２重に縁取るように並べて突設した内面添わせ壁４及び外面添わせ壁５とから軒樋止まり２を形成する。内面添わせ壁４と外面添わせ壁５との間に接着剤を介して軒樋１の長手方向の端部を差し込み接着させた軒樋止まりの接続構造である。蓋部３の板面からの突出高さを外面添わせ壁５よりも内面添わせ壁４を高く形成する。内面添わせ壁４に余分な接着剤を軒樋１の内方に逃がす逃し部７を設ける。【選択図】        図１
2004257090.tif 000002
【特許請求の範囲】
【請求項１】
軒樋の長手方向の端部に板面を当てて塞ぐ縦板状の蓋部と、この蓋部の板面の外縁部から２重に縁取るように並べて突設した内面添わせ壁及び外面添わせ壁とから軒樋止まりを形成し、この内面添わせ壁と外面添わせ壁との間に接着剤を介して軒樋の長手方向の端部を差し込み接着させた軒樋止まりの接続構造において、蓋部の板面からの突出高さを外面添わせ壁よりも内面添わせ壁を高く形成し、内面添わせ壁に余分な接着剤を軒樋の内方に逃がす逃し部を設けたことを特徴とする軒樋止まりの接続構造。
【請求項２】
上記逃し部を、内面添わせ壁に穿孔した貫通孔で構成したことを特徴とする請求項１記載の軒樋止まりの接続構造。
【請求項３】
上記逃し部を、内面添わせ壁に内方に折り曲げて形成した段部で構成したことを特徴とする請求項１記載の軒樋止まりの接続構造。
【発明の詳細な説明】
【０００１】
【発明の属する技術分野】
本発明は、軒樋の長手方向の端部を塞ぐ部材である軒樋止まりの軒樋への接続構造に関する発明である。
【０００２】
【従来の技術】
従来から、軒樋１の長手方向の端部を塞ぐ部材である軒樋止まり２の軒樋１への接続構造には図６に示すものがある（たとえば、特許文献１参照）。軒樋１は、前壁１ａ、底壁１ｂ及び後壁１ｃからなる縦断面Ｕ字型の長尺部材であり、軒樋止まり２は、上記軒樋１の開口せる長手方向の端部を塞ぐ縦板状の蓋部３で主体が構成され、この蓋部３には、軒樋１の前壁１ａ、底壁１ｂ及び後壁１ｃの長手方向の端部が突き合わされる部位に接続部が形成されている。この接続部は、軒樋１の前壁１ａ、底壁１ｂ及び後壁１ｃをその内面及び外面から挟持する内面添わせ壁４と外面添わせ壁５とで構成されている。具体的に、軒樋止まり２は、軒樋１の縦断面の外形と略同じ外形を有する垂直板状の蓋部３を有し、この蓋部３の板面の外縁部を２重に縁取るように該蓋部３の板面から内面添わせ壁４と外面添わせ壁５とを水平方向に並べて垂設して構成されている。そして、軒樋止まり２の軒樋１への接続は、軒樋止まり２の内面添わせ壁４と外面添わせ壁５との間に、軒樋１の各壁１ａ，１ｂ，１ｃにおける長手方向の端部を挿し込ませて接着させることで行われている。
【０００３】
【特許文献１】
特開２００２−３６４１３３号公報
【０００４】
【発明が解決しようとする課題】
ところで、図６の軒樋止まり２の内面添わせ壁４と外面添わせ壁５における蓋部３からの突出高さは、外面添わせ壁５が内面添わせ壁４よりも高い寸法に設定されている。これによると、軒樋止まり２の軒樋１への接続部分の外観には、外面添わせ壁５が軒樋１の外面を大きく覆った外観が現出され、この外観に大きく現出する外面添わせ壁５によって、別部材の軒樋止まり２が軒樋１に接続されたことが強調される外観となってしまうのであり、つまり、接続した軒樋止まり２と軒樋１とに一体感を持たせることができない外観となってしまっていた。
【０００５】
接続した軒樋止まり２と軒樋１とに一体感を持たせる外観を現出させるには、外面添わせ壁５と内面添わせ壁４における蓋部３からの突出高さを、内面添わせ壁４を外面添わせ壁５よりも高い寸法に設定させればよいのであるが、このときには、外面添わせ壁５と内面添わせ壁４との間に、軒樋１の前壁１ａ、底壁１ｂ及び後壁１ｃの長手方向の端部を挿し込ませて接着させる際に、図７に示すように、外面添わせ壁５から余分な接着剤６が軒樋１の外方にはみ出てしまうものである。このはみ出た接着剤６は、軒樋２の外面の他部分と比べて変色等の経時的な劣化が激しく、これにより外観に悪影響を及ぼすだけでなく、軒樋１の敷設施工時に施工者の手などに付着した場合には、この施工者の手などを介して軒樋１の外面の他の部分にも付着してしまって外観を更に悪化させてしまうこともある。
【０００６】
本発明は上記の点に鑑みてなされたものであり、接続した軒樋止まりと軒樋とに一体感を持たせると共に接着剤による悪影響のない外観を現出できるようにした軒樋止まりの接続構造を提供することを課題とするものである。
【０００７】
【課題を解決するための手段】
上記課題を解決するために本発明に係る軒樋止まりの接続構造は、軒樋１の長手方向の端部に板面を当てて塞ぐ縦板状の蓋部３と、この蓋部３の板面の外縁部から２重に縁取るように並べて突設した内面添わせ壁４及び外面添わせ壁５とから軒樋止まり２を形成し、この内面添わせ壁４と外面添わせ壁５との間に接着剤６を介して軒樋１の長手方向の端部を差し込み接着させた軒樋止まりの接続構造において、蓋部３の板面からの突出高さを外面添わせ壁５よりも内面添わせ壁４を高く形成し、内面添わせ壁４に余分な接着剤６を軒樋１の内方に逃がす逃し部７を設けたことを特徴とする。
【０００８】
これによると、内面添わせ壁４に設けた逃し部７によって余分な接着剤６を軒樋１の内方に逃すようにできて、したがって接着剤６が軒樋１の外方にはみ出ることがなく、この接着剤６による外観への悪影響を無くすることができる。また、蓋部３の板面からの突出高さを外面添わせ壁５よりも内面添わせ壁４を高く形成したから、外面添わせ壁５が軒樋１の外面を覆う部分を小さく設定することが可能であり、接続した軒樋止まり２と軒樋１との外観を一体感を持たせた良好な外観とできる。
【０００９】
また、上記逃し部７を、内面添わせ壁４に穿孔した貫通孔８で構成したことも好ましい。これによると、外面添わせ壁５と内面添わせ壁４との間に接着剤６が多く入った状態で軒樋１の長手方向の端部が挿し込まれた場合でも、内面添わせ壁４に穿孔した貫通孔８から余分な接着剤６を軒樋１の内側に逃すことができ、結果、接着剤６が軒樋１の外方にはみ出ることを無くすることができる。
【００１０】
また、上記逃し部７を、内面添わせ壁４に内方に折り曲げて形成した段部９で構成したことも好ましい。これによると、軒樋止まり２の軒樋１への接続施工時に、段部９に接着剤６を溜めるように塗布した状態で、軒樋１の長手方向の端部を軒樋止まり２の外面添わせ壁５と内面添わせ壁４との間に挿し入れるようにすると、軒樋１の長手方向の端部が段部９にある接着剤６の適量を付着させて外面添わせ壁５と内面添わせ壁４との間に挿し込まれるようになり、余分な接着剤６が外面添わせ壁５と内面添わせ壁４との間に入りにくく、結果、接着剤６が軒樋１の外方にはみ出ることを無くすることができる。
【００１１】
【発明の実施の形態】
以下、本発明を添付図面に示す実施形態に基づいて説明する。
【００１２】
図１乃至図３に本発明の実施の形態の例を示す。軒樋１は、前壁１ａ、底壁１ｂ及び後壁１ｃからなる縦断面Ｕ字型の長尺部材である。軒樋１の長手方向の端部は開口しているが、この開口する軒樋１の長手方向の端部に止水を施しつつ取り付けて連続する軒樋１に終端（始端）を設ける部材が、軒樋止まり２である。この軒樋止まり２は、図３に示すように、板面の内側が軒樋１の長手方向の端部を塞ぐ略垂直板状の蓋部３で主体が構成され、この蓋部３の内側の板面の外縁部に２重に縁取るように内面添わせ壁４と外面添わせ壁５とを並べて突設したものである。この軒樋止まり２を軒樋１の長手方向の端部に接続するには、図２（ａ）に示すように、軒樋止まり２の内面添わせ壁４と外面添わせ壁５との間に接着剤６を介して軒樋１の長手方向の端部を差し込み接着させることで行われる。なお、軒樋１の前壁１ａ及び後壁１ｃには前耳部１０及び後耳部１１が形成されるが、軒樋止まり２の内面添わせ壁４と外面添わせ壁５はこれら前耳部１０及び後耳部１１をも挟持できる形状に形成されている。
【００１３】
詳しくは、軒樋止まり２の蓋部３の外形は、軒樋１の縦断面の外形形状と略同形に形成されており、軒樋止まり２の蓋部３を軒樋１の縦断面形状に合わせて近接させると、軒樋１の各壁１ａ，１ｂ，１ｃにおける長手方向の端部が自然と軒樋止まり２の内面添わせ壁４と外面添わせ壁５との間に挿し込まれるようになっている。ここで、内面添わせ壁４及び外面添わせ壁５は、軒樋１の各壁１ａ，１ｂ，１ｃ全てを間に挟み込むように蓋部３の外縁に連続的に形成されており、内面添わせ壁４と外面添わせ壁５との間の寸法は、軒樋１の各壁１ａ，１ｂ，１ｃの厚み寸法と略同寸法に形成されている。なお、蓋部３の外側板面には軒樋１の外面に施された意匠と同様の意匠が施されており、軒樋止まり２と軒樋１とを接続した際の外観に連続性を持たせて一体感を現出させる工夫がなされている。
【００１４】
本例の軒樋止まり２では、上記軒樋止まり２の基本構成に加え、蓋部３の板面からの突出高さを外面添わせ壁５よりも内面添わせ壁４を高く形成してあると共に、この内面添わせ壁４には貫通孔８を穿孔してある。この貫通孔８は、内面添わせ壁４と外面添わせ壁５との間にある余分な接着剤６を軒樋１の内方に逃がす逃し部７を構成するものであり、具体的には、内面添わせ壁４と外面添わせ壁５との間の空間と内面添わせ壁４の内方空間とを連通させるように内面添わせ壁４を貫通している。ここで、軒樋止まり２を軒樋１の長手方向の端部に接続した状態では、内面添わせ壁４は軒樋１の内面に沿うものであるから、上記内面添わせ壁４の内方空間は軒樋１の内方空間となる。
【００１５】
しかして、本例の軒樋止まり２を軒樋１の長手方向の端部に接続させたときには、軒樋１の長手方向の端部が挿入されたことで内面添わせ壁４と外面添わせ壁５との間で行き場を失った余分な接着剤６は、図２（ｂ）に示すように、貫通孔８から内面添わせ壁４の内方空間に押し出されるようになる。したがって、本例の軒樋止まり２の軒樋１の長手方向の端部への接続構造では、たとえ接着剤６を多めに使用して軒樋止まり２と軒樋１の長手方向の端部とを接続させたとしても、余分な接着剤６は貫通孔８から内面添わせ壁４の内方空間に押し出され、軒樋１の外方にはみ出ることが確実に回避できるようにされている。また、このように余分な接着剤６の外方へのはみ出しを回避できるにもかかわらず、蓋部３の板面からの突出高さを外面添わせ壁５よりも内面添わせ壁４の方を高く設定させているから、突出高さの高い内面添わせ壁４にて軒樋１と軒樋止まり２との接着しろを大きく確保できて接着強度を強く維持できると共に、突出高さの低い外面添わせ壁５によって軒樋１の外面が覆われる部分を小さく設定できるようにされている。
【００１６】
上述したように、本例の軒樋止まり２の軒樋１の長手方向の端部への接続構造にあっては、接着剤６の軒樋１の外方へのはみ出しが防止されるから、接着剤６による外観への悪影響もなく、また、外面添わせ壁５によって軒樋１の外面が覆われる部分を小さく設定できるから、接続した軒樋止まり２と軒樋１との外観に一体感を感じさせ得るようにでき、したがって、接着剤６による悪影響もなく一体感を伴なった良好な外観が現出されるようになっているのである。
【００１７】
また、図４及び図５には本発明の実施の形態の他例を示す。先の実施の形態の例と同様部位には、同符合を付して説明を省き、異なる部位につき説明をしていく。この例は、余分な接着剤６を軒樋１の内方に逃がす逃し部７を、貫通孔８の代わりに、内面添わせ壁４に内方に折り曲げて形成した段部９で構成した例である。この段部９は、内面添わせ壁４の突出先端部分に亙って設けられており、段部９以外の内面添わせ壁４の部位よりも一段内方に位置するように形成されている。本例の軒樋止まり２を軒樋１の長手方向の端部に接続させたときにも、段部９によって、先の実施の形態の例同様、余分な接着剤６が軒樋１の外方にはみ出さないようにされる。
【００１８】
詳しくは、本例の軒樋止まり２の軒樋１への接続施工は、図５（ａ）に示すように、軒樋止まり２の段部９に接着剤６を溜めるように塗布し、この状態の軒樋止まり２を軒樋１の長手方向の端部に近接させ、軒樋１の長手方向の端部を軒樋止まり２の外面添わせ壁５と内面添わせ壁４との間に挿し入れるようにして行われる。つまり、軒樋１の長手方向の端部を外面添わせ壁５と内面添わせ壁４との間に挿し入れた際には、図５（ｂ）に示すように、軒樋１の内面が段部９をかすめるように通り、段部９に溜められた接着剤６のうち適量の接着剤６がこの軒樋１に付着されるのであり、外面添わせ壁５と内面添わせ壁４との間に多量の接着剤６が入らないようにされると共に、軒樋止まり２と軒樋１との接着は主に軒樋止まり２の内面添わせ壁４と軒樋１の内面との間で行われるようになる。このように、本例の軒樋止まり２の軒樋１への接続構造では、その接続施工時に、軒樋１の長手方向の端部が段部９にある接着剤６の適量を付着させて外面添わせ壁５と内面添わせ壁４との間に挿し込まれるようになるから、余分な接着剤６を外面添わせ壁５と内面添わせ壁４との間に入りにくくさせ、結果、接着剤６が軒樋１の外方にはみ出ることが防止されるものとなっている。したがって、先の実施の形態の例同様、本例の軒樋止まり２の軒樋１への接続構造では、軒樋１の外面にはみ出す接着剤６による外観への悪影響もなく、また、内面添わせ壁４より突出高さを低く形成した外面添わせ壁５によって軒樋１の外面が覆われる部分を小さく設定できるから、接続した軒樋止まり２と軒樋１との外観に一体感を感じさせ得るようにできるのであり、つまり、接着剤６による悪影響もなく一体感を伴なった良好な外観が現出されるようになっているのである。
【００１９】
なお、図示はしないが、上記各実施の形態の例の貫通孔８と段部９とを同時に軒樋止まり２に備えさせることもできる。そして、この軒樋止まり２を軒樋１の長手方向の端部に接続させた場合には、上述した貫通孔８と段部９との作用効果を備えるようにできる。つまり、内面添わせ壁４と外面添わせ壁５との間に多量の接着剤６が入りにくくされると共に、たとえ多量の接着剤６が内面添わせ壁４と外面添わせ壁５との間に入った場合にも確実に軒樋１の内方に余分な接着剤６を逃すことができるから、軒樋１の外面への接着剤６のはみ出しを確実に防止することができる。したがって、軒樋止まり２の軒樋１への接続構造における、一体感を伴なった良好な外観への接着剤６による悪影響を更に無くするようにできるのである。
【００２０】
【発明の効果】
上記のように本発明の請求項１記載の発明にあっては、軒樋の長手方向の端部に板面を当てて塞ぐ縦板状の蓋部と、この蓋部の板面の外縁部から２重に縁取るように並べて突設した内面添わせ壁及び外面添わせ壁とから軒樋止まりを形成し、この内面添わせ壁と外面添わせ壁との間に接着剤を介して軒樋の長手方向の端部を差し込み接着させた軒樋止まりの接続構造において、内面添わせ壁に余分な接着剤を軒樋の内方に逃がす逃し部を設けたので、内面添わせ壁に設けた逃し部によって余分な接着剤を軒樋の内方に逃すようにできて、接着剤が軒樋の外方にはみ出ることがなくてこの接着剤による外観への悪影響を無くすることができ、また、蓋部の板面からの突出高さを外面添わせ壁よりも内面添わせ壁を高く形成したから、外面添わせ壁が軒樋の外面を覆う部分を小さく設定できて、接続した軒樋止まりと軒樋との外観に一体感を持たせるようにでき、したがって、接続した軒樋止まりと軒樋とに一体感を持たせると共に接着剤による悪影響のない外観が現出できるのである。
【００２１】
また、請求項２記載の発明にあっては、請求項１の効果に加え、逃し部を、内面添わせ壁に穿孔した貫通孔で構成したので、外面添わせ壁と内面添わせ壁との間に接着剤が多く入った状態で軒樋の長手方向の端部が挿し込まれた場合でも、貫通孔から余分な接着剤を軒樋の内方に逃すことができて接着剤の軒樋の外方へのはみ出しの防止を図り、接着剤による外観への悪影響を更に無くするようにできるのである。
【００２２】
また、請求項３記載の発明にあっては、請求項１の効果に加え、逃し部を、内面添わせ壁に内方に折り曲げて形成した段部で構成したので、軒樋止まりの軒樋への接続施工時に、段部に接着剤を溜めるように塗布した状態で、軒樋の長手方向の端部を軒樋止まりの外面添わせ壁と内面添わせ壁との間に挿し入れるようにすると、軒樋の長手方向の端部が段部にある接着剤の適量を付着させて外面添わせ壁と内面添わせ壁との間に挿し込まれるようになり、したがって、余分な接着剤を外面添わせ壁と内面添わせ壁との間に入りにくくできて接着剤の軒樋の外方へのはみ出しの防止を図り、接着剤による外観への悪影響を更に無くするようにできるのである。
【図面の簡単な説明】
【図１】本発明の実施の形態の例を示す分解斜視図である。
【図２】（ａ）（ｂ）は同上の軒樋止まりと軒樋との接続を順に説明する説明図である。
【図３】同上の軒樋止まりであって（ａ）は外面添わせ壁の一部を破断した右斜視図であり、（ｂ）は外面添わせ壁の一部を破断した左斜視図である。
【図４】本発明の実施の形態の他例を示す分解斜視図である。
【図５】（ａ）（ｂ）は同上の軒樋止まりと軒樋との接続を順に説明する説明図である。
【図６】従来技術の例を示す分解斜視図である。
【図７】（ａ）（ｂ）は従来技術の他例の問題を順に説明する説明図である。
【符号の説明】
１  軒樋
２  軒樋止まり
３  蓋部
４  内面添わせ壁
５  外面添わせ壁
６  接着剤
７  逃し部
８  貫通孔
９  段部
【図１】
2004257090.tif 000003
【図２】
2004257090.tif 000004
【図３】
2004257090.tif 000005
【図４】
2004257090.tif 000006
【図５】
2004257090.tif 000007
【図６】
2004257090.tif 000008
【図７】
2004257090.tif 000009